(57)【要約】【課題】簡素な構成で停電時間を検出する。【解決手段】ＨＤＤレコーダは、メインＣＰＵ１１、サブＣＰＵ１２、ＲＡＭ１８、商用電源から供給される電力から直流電圧を生成する電源回路１３、予備電源として機能するコンデンサＣ１、及び、停電中であるか否かを示す停電信号を出力する停電検出回路１４２を備え、ＲＡＭ１８が、コンデンサＣ１の電圧値を停電時間と対応付けて予め格納する換算値記憶部１８１を備え、サブＣＰＵ１２が、停電が終了したタイミングでコンデンサＣ１の電圧値を検出する電圧検出部１２２を備え、メインＣＰＵ１１が、検出された電圧値に対応する停電時間を換算値記憶部１８１から読み出すことによって停電時間を求める時間算出部１１１と、求められた停電時間をディスプレイ４に表示する時間表示部１１２と、を備えている。【選択図】図２
2008278132.tif 000002
【特許請求の範囲】
【請求項１】
モニタと通信可能に接続されると共に、テレビジョン放送を受信し、受信した映像情報をＨＤＤに格納するＨＤＤレコーダであって、
該ＨＤＤレコーダ全体の動作を制御するメインＣＰＵと、
停電時の動作を制御するサブＣＰＵと、
商用電源から供給される電力から予め設定された所定の大きさの直流電圧を生成する電源回路と、
低電圧側端子が接地され、高電圧側端子に前記電源回路から供給される直流電圧が印加され、該直流電圧によって充電されて予備電源として機能するコンデンサと、
前記電源回路からの直流電圧が入力され、停電中であることを検出すると共に、停電中であるか否かを示す停電信号を出力する停電検出回路と、
前記コンデンサの高電圧側端子の電圧値を停電時間と対応付けて予め格納する換算値記憶手段と、
を備え、
前記サブＣＰＵは、
前記停電検出回路からの停電信号に基づき、停電が終了したタイミングで、前記コンデンサの高電圧側端子の電圧値を検出する電圧検出手段を備え、
前記メインＣＰＵは、
前記電圧検出手段によって検出された電圧値に対応する停電時間を前記換算値記憶手段から読み出すことによって停電時間を求める時間算出手段と、
前記時間算出手段によって求められた停電時間を、前記モニタに表示する時間表示手段と、
を備え、
前記コンデンサは、その容量が０．１Ｆ以上である電気２重層コンデンサであって、
前記停電検出回路は、エミッタが接地され、停電中である場合にＯＦＦ状態となるトランジスタを備え、該トランジスタのコレクタ電圧を停電信号として出力することを特徴とするＨＤＤレコーダ。
【請求項２】
商用電源から供給される電力が停止された期間である停電時間を検出する停電時間検出装置であって、
商用電源から供給される電力から予め設定された所定の大きさの直流電圧を生成する電源回路と、
低電圧側端子が接地され、高電圧側端子に前記電源回路から供給される直流電圧が印加され、該直流電圧によって充電されて予備電源として機能するコンデンサと、
前記電源回路からの直流電圧が入力され、停電中であることを検出すると共に、停電中であるか否かを示す停電信号を出力する停電検出回路と、
前記停電検出回路からの停電信号に基づき、停電が終了したタイミングで、前記コンデンサの高電圧側端子の電圧値を検出する電圧検出手段と、
前記電圧検出手段によって検出された電圧値に基づいて停電時間を求める時間算出手段と、
を備えることを特徴とする停電時間検出装置。
【請求項３】
前記コンデンサは、電気２重層コンデンサであることを特徴とする請求項２に記載の停電時間検出装置。
【請求項４】
前記コンデンサは、その容量が０．１Ｆ以上であることを特徴とする請求項２又は請求項３に記載の停電時間検出装置。
【請求項５】
前記停電検出回路は、エミッタが接地され、停電中である場合にＯＦＦ状態となるトランジスタを備え、該トランジスタのコレクタ電圧を停電信号として出力することを特徴とする請求項２〜請求項４のいずれかに記載の停電時間検出装置。
【請求項６】
モニタと通信可能に接続されると共に、テレビジョン放送を受信し、受信した映像情報を記録媒体に格納する放送記録装置であって、
該放送記録装置全体の動作を制御するメインＣＰＵと、
停電時の動作を制御するサブＣＰＵと、
商用電源から供給される電力から予め設定された所定の大きさの直流電圧を生成する電源回路と、
低電圧側端子が接地され、高電圧側端子に前記電源回路から供給される直流電圧が印加され、該直流電圧によって充電されて予備電源として機能するコンデンサと、
前記電源回路からの直流電圧が入力され、停電中であることを検出すると共に、停電中であるか否かを示す停電信号を出力する停電検出回路と、
前記コンデンサの高電圧側端子の電圧値を停電時間と対応付けて予め格納する換算値記憶手段と、
を備え、
前記サブＣＰＵは、
前記停電検出回路からの停電信号に基づき、停電が終了したタイミングで、前記コンデンサの高電圧側端子の電圧値を検出する電圧検出手段を備え、
前記メインＣＰＵは、
前記電圧検出手段によって検出された電圧値に対応する停電時間を前記換算値記憶手段から読み出すことによって停電時間を求める時間算出手段と、
前記時間算出手段によって求められた停電時間を、前記モニタに表示する時間表示手段と、
を備えることを特徴とする放送記録装置。
【発明の詳細な説明】
【技術分野】
【０００１】
本発明は、商用電源から供給される電力が停止された期間である停電時間を検出する停電時間検出装置、及び、モニタと通信可能に接続されると共に、テレビジョン放送を受信し、受信した映像情報を記録媒体に格納する放送記録装置に関する。特に、モニタと通信可能に接続されると共に、テレビジョン放送を受信し、受信した映像情報をＨＤＤに格納するＨＤＤレコーダに関する。
【背景技術】
【０００２】
従来、ＨＤＤレコーダ等のメインＣＰＵとサブＣＰＵとを備える放送記録装置において、サブＣＰＵによってメインＣＰＵ及び周辺装置への電力供給の制御を行うものが知られている。
【０００３】
例えば、メインマイコンが、電力供給の制御方法を示す電源制御データを通信によりサブマイコンに伝達し、サブマイコンが、メインマイコンから伝達された電源制御データに示される方法で電力供給を制御するＤＶＤレコーダが提案されている（特許文献１参照）。このＤＶＤレコーダによれば、サブマイコンによる電源制御方法を変更することができる。
【特許文献１】特開２００７−４１８５０号公報
【発明の開示】
【発明が解決しようとする課題】
【０００４】
一方、ＨＤＤレコーダ等においては、録画中に停電が発生した場合には、停電期間中の録画は行われないため、ユーザは停電時間を知る必要がある。しかしながら、上記ＤＶＤレコーダでは、停電時における電源制御方法については開示されていない。
【０００５】
本発明は、上記課題に鑑みてなされたものであって、簡素な構成で停電時間を検出することの可能な停電時間検出装置及びＨＤＤレコーダを提供することを目的としている。
【課題を解決するための手段】
【０００６】
上記目的を達成するために請求項１に記載のＨＤＤレコーダは、モニタと通信可能に接続されると共に、テレビジョン放送を受信し、受信した映像情報をＨＤＤに格納するＨＤＤレコーダであって、該ＨＤＤレコーダ全体の動作を制御するメインＣＰＵと、停電時の動作を制御するサブＣＰＵと、商用電源から供給される電力から予め設定された所定の大きさの直流電圧を生成する電源回路と、低電圧側端子が接地され、高電圧側端子に前記電源回路から供給される直流電圧が印加され、該直流電圧によって充電されて予備電源として機能するコンデンサと、前記電源回路からの直流電圧が入力され、停電中であることを検出すると共に、停電中であるか否かを示す停電信号を出力する停電検出回路と、前記コンデンサの高電圧側端子の電圧値を停電時間と対応付けて予め格納する換算値記憶手段と、を備え、前記サブＣＰＵが、前記停電検出回路からの停電信号に基づき、停電が終了したタイミングで、前記コンデンサの高電圧側端子の電圧値を検出する電圧検出手段を備え、前記メインＣＰＵが、前記電圧検出手段によって検出された電圧値に対応する停電時間を前記換算値記憶手段から読み出すことによって停電時間を求める時間算出手段と、前記時間算出手段によって求められた停電時間を、前記モニタに表示する時間表示手段と、を備え、前記コンデンサが、その容量が０．１Ｆ以上である電気２重層コンデンサであって、前記停電検出回路が、エミッタが接地され、停電中である場合にＯＦＦ状態となるトランジスタを備え、該トランジスタのコレクタ電圧を停電信号として出力することを特徴としている。
【０００７】
請求項２に記載の停電時間検出装置は、商用電源から供給される電力が停止された期間である停電時間を検出する停電時間検出装置であって、商用電源から供給される電力から予め設定された所定の大きさの直流電圧を生成する電源回路と、低電圧側端子が接地され、高電圧側端子に前記電源回路から供給される直流電圧が印加され、該直流電圧によって充電されて予備電源として機能するコンデンサと、前記電源回路からの直流電圧が入力され、停電中であることを検出すると共に、停電中であるか否かを示す停電信号を出力する停電検出回路と、前記停電検出回路からの停電信号に基づき、停電が終了したタイミングで、前記コンデンサの高電圧側端子の電圧値を検出する電圧検出手段と、前記電圧検出手段によって検出された電圧値に基づいて停電時間を求める時間算出手段と、を備えることを特徴としている。
【０００８】
請求項３に記載の停電時間検出装置は、請求項２に記載の停電時間検出装置であって、前記コンデンサが、電気２重層コンデンサであることを特徴としている。
【０００９】
請求項４に記載の停電時間検出装置は、請求項２又は請求項３に記載の停電時間検出装置であって、前記コンデンサが、その容量が０．１Ｆ以上であることを特徴としている。
【００１０】
請求項５に記載の停電時間検出装置は、請求項２〜請求項４のいずれかに記載の停電時間検出装置であって、前記停電検出回路が、エミッタが接地され、停電中である場合にＯＦＦ状態となるトランジスタを備え、該トランジスタのコレクタ電圧を停電信号として出力することを特徴としている。
【００１１】
請求項６に記載の放送記録装置は、モニタと通信可能に接続されると共に、テレビジョン放送を受信し、受信した映像情報を記録媒体に格納する放送記録装置であって、該放送記録装置全体の動作を制御するメインＣＰＵと、停電時の動作を制御するサブＣＰＵと、商用電源から供給される電力から予め設定された所定の大きさの直流電圧を生成する電源回路と、低電圧側端子が接地され、高電圧側端子に前記電源回路から供給される直流電圧が印加され、該直流電圧によって充電されて予備電源として機能するコンデンサと、前記電源回路からの直流電圧が入力され、停電中であることを検出すると共に、停電中であるか否かを示す停電信号を出力する停電検出回路と、前記コンデンサの高電圧側端子の電圧値を停電時間と対応付けて予め格納する換算値記憶手段と、を備え、前記サブＣＰＵが、前記停電検出回路からの停電信号に基づき、停電が終了したタイミングで、前記コンデンサの高電圧側端子の電圧値を検出する電圧検出手段を備え、前記メインＣＰＵが、前記電圧検出手段によって検出された電圧値に対応する停電時間を前記換算値記憶手段から読み出すことによって停電時間を求める時間算出手段と、前記時間算出手段によって求められた停電時間を、前記モニタに表示する時間表示手段と、を備えることを特徴としている。
【発明の効果】
【００１２】
請求項１に記載のＨＤＤレコーダによれば、電源回路によって、商用電源から供給される電力から予め設定された所定の大きさの直流電圧が生成され、低電圧側端子が接地されたコンデンサの高電圧側端子に電源回路から供給される直流電圧が印加される。そしてコンデンサは、直流電圧によって充電されて予備電源として機能する。また、電源回路から直流電圧が入力される停電検出回路によって、停電中であることが検出されると共に、停電中であるか否かを示す停電信号が出力される。更に、停電時の動作を制御するサブＣＰＵにおいて、停電検出回路からの停電信号に基づき、停電が終了したタイミングで、コンデンサの高電圧側端子の電圧値が検出され、メインＣＰＵにおいて、検出された電圧値に基づいて停電時間が求められ、求められた停電時間がモニタに表示されるため、簡素な構成で停電時間を検出することができるＨＤＤレコーダを実現することができる。
【００１３】
すなわち、停電が終了したタイミング（＝復電されたタイミング）で、予備電源として機能するコンデンサの高電圧側端子の電圧値が検出され、検出された電圧値に基づいて停電時間が求められるため、予備電源として機能するコンデンサを用いて停電時間を求めることができるので、簡素な構成で停電時間を検出することができるのである。
【００１４】
また、停電時の動作を制御するサブＣＰＵにおいて、停電検出回路からの停電信号に基づき、停電が終了したタイミングで、コンデンサの高電圧側端子の電圧値が検出されるため、停電時間を検出するために停電時に消費される電力を抑制することができるので、簡素な構成で停電時間を検出することができるＨＤＤレコーダを実現することができるのである。
【００１５】
更に、コンデンサが電気２重層コンデンサであるため、更に簡素な構成で停電時間を検出することができる。
【００１６】
加えて、コンデンサの容量が０．１Ｆ以上であるため、略２４時間以上の停電時間を検出することができるので、簡素な構成で停電時間を検出することができる。
【００１７】
また、停電検出回路が、エミッタが接地され、停電中である場合にＯＦＦ状態となるトランジスタを備え、このトランジスタのコレクタ電圧が停電信号として出力されるため、簡素な構成で停電検出回路を実現することができるので、更に簡素な構成で停電時間を検出することができる。
【００１８】
請求項２に記載の停電時間検出装置によれば、電源回路によって、商用電源から供給される電力から予め設定された所定の大きさの直流電圧が生成され、低電圧側端子が接地されたコンデンサの高電圧側端子に電源回路から供給される直流電圧が印加される。そしてコンデンサは、直流電圧によって充電されて予備電源として機能する。また、電源回路から直流電圧が入力される停電検出回路によって、停電中であることが検出されると共に、停電中であるか否かを示す停電信号が出力される。更に、停電検出回路からの停電信号に基づき、停電が終了したタイミングで、コンデンサの高電圧側端子の電圧値が検出され、検出された電圧値に基づいて停電時間が求められるため、簡素な構成で停電時間を検出することができる。
【００１９】
すなわち、停電が終了したタイミング（＝復電されたタイミング）で、予備電源として機能するコンデンサの高電圧側端子の電圧値が検出され、検出された電圧値に基づいて停電時間が求められるため、予備電源として機能するコンデンサを用いて停電時間を求めることができるので、簡素な構成で停電時間を検出することができるのである。
【００２０】
請求項３に記載の停電時間検出装置によれば、コンデンサが電気２重層コンデンサであるため、更に簡素な構成で停電時間を検出することができる。
【００２１】
請求項４に記載の停電時間検出装置によれば、コンデンサの容量が０．１Ｆ以上であるため、略２４時間以上の停電時間を検出することができるので、簡素な構成で停電時間を検出することができる。
【００２２】
請求項５に記載の停電時間検出装置によれば、停電検出回路が、エミッタが接地され、停電中である場合にＯＦＦ状態となるトランジスタを備え、このトランジスタのコレクタ電圧が停電信号として出力されるため、簡素な構成で停電検出回路を実現することができるので、更に簡素な構成で停電時間を検出することができる。
【００２３】
請求項６に記載の放送記録装置によれば、電源回路によって、商用電源から供給される電力から予め設定された所定の大きさの直流電圧が生成され、低電圧側端子が接地されたコンデンサの高電圧側端子に電源回路から供給される直流電圧が印加される。そしてコンデンサは、直流電圧によって充電されて予備電源として機能する。また、電源回路から直流電圧が入力される停電検出回路によって、停電中であることが検出されると共に、停電中であるか否かを示す停電信号が出力される。更に、停電時の動作を制御するサブＣＰＵにおいて、停電検出回路からの停電信号に基づき、停電が終了したタイミングで、コンデンサの高電圧側端子の電圧値が検出され、メインＣＰＵにおいて、検出された電圧値に基づいて停電時間が求められ、求められた停電時間がモニタに表示されるため、簡素な構成で停電時間を検出することができる放送記録装置を実現することができる。
【００２４】
すなわち、停電時の動作を制御するサブＣＰＵにおいて、停電検出回路からの停電信号に基づき、停電が終了したタイミング（＝復電されたタイミング）で、コンデンサの高電圧側端子の電圧値が検出されるため、停電時間を検出するために停電時に消費される電力を抑制することができるので、簡素な構成で停電時間を検出することができる放送記録装置を実現することができるのである。
【発明を実施するための最良の形態】
【００２５】
以下に本発明の実施形態を、図面を参照しながら説明する。図１は、本発明に係るＨＤＤレコーダの構成の一例を示すブロック図である。ＨＤＤレコーダ１（放送記録装置に相当する）は、出力装置２と通信可能に接続されている。
【００２６】
ＨＤＤレコーダ１は、図略のリモートコントローラ（＝Ｒｅｍｏｔｅｃｏｎｔｒｏｌｌｅｒ：以下、「リモコン」という）を介してユーザからの操作入力を受け付けて、受け付けた操作入力に基づいて、テレビジョン放送を受信し、受信した番組情報を格納するものである。また、ＨＤＤレコーダ１は、格納された番組情報を読み出して再生し、出力装置２に対して映像及び音声を出力するものである。
【００２７】
出力装置２は、ディスプレイ２１及びスピーカ２２を備え、ＨＤＤレコーダ１から入力された音声情報及び映像情報を出力するものである。ディスプレイ２１（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、ＨＤＤレコーダ１から入力された映像情報を外部から視認可能に表示するものである。スピーカ２２は、ＨＤＤレコーダ１から入力された音声情報を出力するものである。
【００２８】
また、ＨＤＤレコーダ１は、メインＣＰＵ１１、サブＣＰＵ１２、電源回路１３、停電検出部１４、受信部１５、出力処理部１６、ＲＡＭ１８、及び、ＨＤＤ１９を備えている。
【００２９】
メインＣＰＵ（Ｃｅｎｔｒａｌ  Ｐｒｏｃｅｓｓｉｎｇ  Ｕｎｉｔ）１１は、ＨＤＤレコーダ１全体の動作を制御するものである。サブＣＰＵ１２は、停電時の動作を制御するものである。電源回路１３は、商用電源から供給される電力から予め設定された所定の大きさ（ここでは、５Ｖ）の直流電圧を生成し、ＨＤＤレコーダ１内のメインＣＰＵ１１、サブＣＰＵ１２等に供給するものである。停電検出部１４は、電源回路１３からの直流電圧に基づいて、停電時間を検出するために必要な種々の処理を行うものである。
【００３０】
受信部１５は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００３１】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００３２】
出力処理部１６は、受信部１５によって受信されたテレビジョン放送に対応する音声信号及び映像信号を、それぞれ、スピーカ２２及びディスプレイ２１に対して出力するものであって、Ｄ／Ａ変換部１６１、音声信号出力部１６２、ＭＰＥＧ２デコード部１６３、ＮＴＳＣエンコード部１６４、及び、映像信号出力部１６５を備えている。
【００３３】
Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号をスピーカ２２に対して出力するものである。
【００３４】
ＭＰＥＧ（Ｍｏｔｉｏｎ  Ｐｉｃｔｕｒｅ  Ｅｘｐｅｒｔｓ  Ｇｒｏｕｐ）２デコード部１６３は、ＴＳデマルチプレクサ１５５から出力された映像情報を圧縮前の映像情報に復号化するものである。
【００３５】
ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１６４は、ＭＰＥＧ２デコード部１６３によって復号化された映像情報をＮＴＳＣ方式のテレビジョン信号に変換するものである。映像信号出力部１６５は、ＮＴＳＣエンコード部１６４から出力されたＮＴＳＣ方式のテレビジョン信号をディスプレイ２１に対して出力するものである。
【００３６】
ＲＡＭ（Ｒａｎｄｏｍ  Ａｃｃｅｓｓ  Ｍｅｍｏｒｙ）１８は、音声情報、映像情報等の情報を読み書き自在に格納するものである。ＨＤＤ（Ｈａｒｄ  Ｄｉｓｋ  Ｄｒｉｖｅ）１９（記録媒体に相当する）は、ＭＰＵ１１からの指示に従って映像情報、音声情報等の種々の情報を格納するものである。
【００３７】
次に、ＨＤＤレコーダ１が放送を受信する場合の動作について説明する。まず、送信されてきたデジタル放送波がアンテナ部１５１で受信される。図略のリモコンを介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００３８】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等を含み、これらの情報がＴＳデマルチプレクサ１５５によって、分離して出力され、ＲＡＭ１８に格納される。そして、ＲＡＭ１８から読み出された音声情報がＤ／Ａ変換部１６１によってアナログ信号に変換され、音声信号出力部１６２を介してスピーカ２２から音声が出力される。
【００３９】
また、ＲＡＭ１８から読み出された映像情報がＭＰＥＧ２デコード部１６３によって圧縮前の映像情報に復号化され、ＮＴＳＣエンコード部１６４によってＮＴＳＣ方式のテレビジョン信号に変換されて、映像信号出力部１６５を介してディスプレイ２１に映像が表示される。
【００４０】
図２は、本発明に係るＨＤＤレコーダ１における主要部の構成の一例を示す構成図である。停電検出部１４は、コンデンサＣ１、リセットＩＣ１４１、及び、停電検出回路１４２を備えている。コンデンサＣ１は、低電圧側端子が接地され、高電圧側端子に電源回路１３から供給される直流電圧（ここでは、５Ｖ）が印加され、この直流電圧によって充電されて予備電源として機能するものである。また、コンデンサＣ１は、その容量が０．１Ｆ以上（ここでは、１Ｆ）である電気２重層コンデンサから構成されている。
【００４１】
リセットＩＣ１４１は、コンデンサＣ１の高電圧側端子の電圧値（＝停電中のサブＣＰＵ１２の動作電圧値）が予め設定された所定電圧（＝サブＣＰＵ１２の最低動作電圧）以下になった場合に、サブＣＰＵ１２のＲＥＳＥＴポートに対してリセット信号を出力するものである。サブＣＰＵ１２は、リセットＩＣ１４１からリセット信号が入力された場合には、動作が不能であるため、動作が停止され、復電時にリセット処理が行われる。
【００４２】
停電検出回路１４２は、電源回路１３からの直流電圧（ここでは、５Ｖ）が入力され、停電中であることを検出すると共に、停電中であるか否かを示す停電信号をサブＣＰＵ１２に対して出力するものである。また、停電検出回路１４２は、エミッタが接地され、停電中である場合にＯＦＦ状態となるトランジスタＴＲ２を備え、トランジスタＴＲ２のコレクタ電圧を停電信号としてサブＣＰＵ１２のＰＤＷＮポートに対して出力するものである。
【００４３】
トランジスタＴＲ２のベースは、抵抗Ｒ３（例えば、１ｋΩ）を介して電源回路１３からの直流電圧（ここでは、５Ｖ）の分圧が印加されている。ツェナーダイオードＤ１（例えば、ツェナー電圧が３Ｖ）の一方端が電源回路１３からの直流電圧が印加され、ツェナーダイオードＤ１の他方端が、抵抗Ｒ１（例えば、１００Ω）、抵抗Ｒ２（例えば、１００Ω）に直列接続され、抵抗Ｒ２の一方端が接地されている。従って、商用電源から電源回路１３に電力が供給されている場合には、トランジスタＴＲ２のベース電圧が略１Ｖとなるため、トランジスタＴＲ２がＯＮ状態となり、トランジスタＴＲ２のコレクタ電圧は略１Ｖ（＝停電信号がＬｏｗ）となる。
【００４４】
更に、停電検出回路１４２は、エミッタに電源回路１３からの直流電圧（ここでは、５Ｖ）が印加され、ベースが抵抗Ｒ４（例えば、１０ｋΩ）を介してトランジスタＴＲ２のコレクタと接続され、コレクタがコンデンサＣ１の高電圧側端子に接続されたトランジスタＴＲ１を備えている。従って、商用電源から電源回路１３に電力が供給されている場合には、トランジスタＴＲ１のベース電圧が略１Ｖとなるため、トランジスタＴＲ１がＯＮ状態となり、サブＣＰＵ１２のＶＤＤポート、及び、コンデンサＣ１に電源回路１３から電力が供給される。
【００４５】
商用電源から電源回路１３に電力が供給されていない場合（＝停電中）には、トランジスタＴＲ２のベース電圧が略０Ｖとなるため、トランジスタＴＲ２及びトランジスタＴＲ１がＯＦＦ状態となり、トランジスタＴＲ２のコレクタ電圧は、コンデンサＣ１の高電圧側端子の電圧値（＝停電信号がＨｉｇｈ）となる。
【００４６】
すなわち、停電検出回路１４２は、停電中である場合に、サブＣＰＵ１２のＰＤＷＮポートに、Ｈｉｇｈの停電信号を出力し、商用電源から電源回路１３に電力が供給されている場合には、サブＣＰＵ１２のＰＤＷＮポートに、Ｌｏｗの停電信号を出力するものである。
【００４７】
メインＣＰＵ１１は、機能的に、時間算出部１１１、及び、時間表示部１１２を備え、サブＣＰＵ１２は、機能的に、電力モード設定部１２１、及び、電圧検出部１２２を備え、ＲＡＭ１８は、機能的に、換算値記憶部１８１を備えている。
【００４８】
ここでは、メインＣＰＵ１１が、図略のＲＯＭ（Ｒｅａｄ  Ｏｎｌｙ  Ｍｅｍｏｒｙ）等に予め格納された制御プログラムを読み出して実行することにより、時間算出部１１１、時間表示部１１２等の機能部として機能すると共に、ＲＡＭ１８を、換算値記憶部１８１等の機能部として機能させるものである。また、サブＣＰＵ１２が、図略のＲＯＭ等に予め格納された制御プログラムを読み出して実行することにより、電力モード設定部１２１、電圧検出部１２２等の機能部として機能するものである。
【００４９】
また、図１に示すＲＡＭ１２及び図略のＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、半導体メモリ等である。
【００５０】
換算値記憶部１８１（換算値記憶手段に相当する）は、コンデンサＣ１の高電圧側端子の電圧値を停電時間と対応付けて予め格納するものである。また、時間算出部１１１によって、換算値記憶部１８１に格納された停電時間の中から、コンデンサＣ１の高電圧側端子の電圧値に対応する停電時間が読み出されることによって停電時間が求められる。
【００５１】
図３は、コンデンサＣ１の高電圧側端子における電圧値の変化の一例を示すグラフである。図の横軸は、時間（分）であって、縦軸は、コンデンサＣ１の高電圧側端子の電圧値（Ｖ）である。ここでは、時刻Ｔ０において、停電が開始し、時刻Ｔ１において停電が終了（＝復電）した場合について説明する。
【００５２】
グラフＧ１に示すように、時刻Ｔ０からは、コンデンサＣ１からサブＣＰＵ１２に電力が供給される（＝コンデンサＣ１の電荷が放電される）ため、コンデンサＣ１の高電圧側端子の電圧値が徐々に低下する。また、グラフＧ２に示すように、時刻Ｔ１からは、コンデンサＣ１に対して電源回路１３から電力が供給される（＝コンデンサＣ１に電荷が蓄積される）ため、コンデンサＣ１の高電圧側端子の電圧値が徐々に増大し、電源回路１３から供給される電圧（ここでは、５Ｖ）に到達する。
【００５３】
グラフＧ１に示すように、停電が開始されてからの経過期間（＝停電時間）に応じて、コンデンサＣ１の高電圧側端子の電圧値が決定されるため、換算値記憶部１８１には、グラフＧ１に対応するコンデンサＣ１の高電圧側端子の電圧値と停電時間との関係を示す情報が格納されている。
【００５４】
再び、図２の構成図を用いて、メインＣＰＵ１１及びサブＣＰＵ１２の機能構成について説明する。電力モード設定部１２１は、停電検出回路１４２からサブＣＰＵ１２のＰＤＷＮポートに入力された停電信号に基づいて、ＨＤＤレコーダ１を駆動する電力モードを設定するものである。すなわち、電力モード設定部１２１は、停電信号によって停電中ではないと判定された場合には、ＨＤＤレコーダ１の駆動を通常の電力モードに設定し、停電信号によって停電中であると判定された場合には、ＨＤＤレコーダ１の駆動を「低消費電力モード」に設定するものである。
【００５５】
ここでは、「低消費電力モード」とは、メインＣＰＵ１１を含むサブＣＰＵ１２以外の機器の駆動を停止（＝電力の供給を停止）し、サブＣＰＵ１２を低速モード（例えば、駆動周波数が３２．７６８ｋＨｚであるモード）で駆動すると共に、サブＣＰＵ１２のＲＥＳＥＴポート、ＶＤＤポート、及び、ＰＤＯＷＮポート以外のポートを介する電力の消費を禁止するものである。すなわち、「低消費電力モード」とは、リセットＩＣ１４１からのリセット信号、及び、停電検出回路１４２からの停電信号だけを受け付け可能なモードである。
【００５６】
電圧検出部１２２（電圧検出手段に相当する）は、停電検出回路１４２からの停電信号に基づき、停電が終了した（＝復電した）タイミングで、コンデンサＣ１の高電圧側端子の電圧値を、Ａ／Ｄポートを介して検出すると共に、検出した電圧値をメインＣＰＵ１１の時間算出部１１１へ出力するものである。なお、リセットＩＣ１４１からリセット信号が入力された場合には、停電検出回路１４２からの停電信号を受け付けることができないため、電圧検出部１２２は、上記処理を行わないものとする。
【００５７】
時間算出部１１１（時間算出手段に相当する）は、電圧検出部１２２によって検出された電圧値に対応する停電時間を換算値記憶部１８１から読み出すことによって停電時間を求めるものである。
【００５８】
時間表示部１１２（時間表示手段に相当する）は、時間算出部１１１によって求められた停電時間を、ディスプレイ４に表示するものである。例えば、時間表示部１１２は、ＯＳＤ（Ｏｎ−Ｓｃｒｅｅｎ  Ｄｉｓｐｌａｙ）として停電時間を、ディスプレイ４に表示する（例えば、「約１０分間の停電がありました」との文字表示を行う）ものである。
【００５９】
図４は、ＨＤＤレコーダ１（主にメインＣＰＵ１１、サブＣＰＵ１２）の動作の一例を示すフローチャートである。まず、電力モード設定部１２１によって、停電検出回路１４２からサブＣＰＵ１２のＰＤＷＮポートに入力された停電信号に基づいて、停電が検出されたか否かの判定が行われる（Ｓ１０１）。停電が検出されていないと判定された場合（Ｓ１０１でＮＯ）には、処理が待機状態とされる。停電が検出されたと判定された場合（Ｓ１０１でＹＥＳ）には、電力モード設定部１２１によって、低消費電力モードに移行される（Ｓ１０３）。そして、電圧検出部１２２によって、停電検出回路１４２からサブＣＰＵ１２のＰＤＷＮポートに入力された停電信号に基づいて、停電が終了したか否か（＝復電したか否か）の判定が行われる（Ｓ１０５）。
【００６０】
復電していない（＝停電中である）と判定された場合（Ｓ１０５でＮＯ）には、処理が待機状態とされる。復電したと判定された場合（Ｓ１０５でＹＥＳ）には、電圧検出部１２２によって、コンデンサＣ１の高電圧側端子の電圧値が、Ａ／Ｄポートを介して検出される（Ｓ１０７）。そして、時間算出部１１１によって、ステップＳ１０７において検出された電圧値に対応する停電時間が換算値記憶部１８１から読み出されることによって停電時間が求められる（Ｓ１０９）。次いで、時間表示部１１２によって、ステップＳ１０９において求められた停電時間がディスプレイ４に表示され（Ｓ１１１）、処理が終了される。
【００６１】
このようにして、電源回路１３によって、商用電源から供給される電力から予め設定された所定の大きさ（ここでは、５Ｖ）の直流電圧が生成され、低電圧側端子が接地されたコンデンサＣ１の高電圧側端子に電源回路１３から供給される直流電圧が印加される。そしてコンデンサＣ１は、直流電圧によって充電されて予備電源として機能する。また、電源回路１３から直流電圧が入力される停電検出回路１４２によって、停電中であることが検出されると共に、停電中であるか否かを示す停電信号が出力される。更に、停電時の動作を制御するサブＣＰＵ１２において、停電検出回路１４２からの停電信号に基づき、停電が終了したタイミングで、コンデンサＣ１の高電圧側端子の電圧値が検出され、メインＣＰＵ１１において、検出された電圧値に基づいて停電時間が求められ、求められた停電時間がディスプレイ４に表示されるため、簡素な構成で停電時間を検出することができるＨＤＤレコーダ１を実現することができる。
【００６２】
すなわち、停電が終了したタイミング（＝復電されたタイミング）で、予備電源として機能するコンデンサＣ１の高電圧側端子の電圧値が検出され、検出された電圧値に基づいて停電時間が求められるため、予備電源として機能するコンデンサＣ１を用いて停電時間を求めることができるので、簡素な構成で停電時間を検出することができるのである。
【００６３】
また、停電時の動作を制御するサブＣＰＵ１２において、停電検出回路１４２からの停電信号に基づき、停電が終了したタイミングで、コンデンサＣ１の高電圧側端子の電圧値が検出されるため、停電時間を検出するために停電時に消費される電力を抑制することができるので、簡素な構成で停電時間を検出することができるＨＤＤレコーダ１を実現することができるのである。
【００６４】
更に、コンデンサＣ１が電気２重層コンデンサであるため、更に簡素な構成で停電時間を検出することができる。
【００６５】
加えて、コンデンサＣ１の容量が０．１Ｆ以上（ここでは、１Ｆ）であるため、略２４時間以上の停電時間を検出することができるので、簡素な構成で停電時間を検出することができる。
【００６６】
また、停電検出回路１４２が、エミッタが接地され、停電中である場合にＯＦＦ状態となるトランジスタＴＲ２を備え、このトランジスタＴＲ２のコレクタ電圧が停電信号として出力されるため、簡素な構成で停電検出回路１４２を実現することができるので、更に簡素な構成で停電時間を検出することができる。
【００６７】
なお、本発明は、以下の形態にも適用可能である。
（Ａ）本実施形態では、放送記録装置が、ＨＤＤレコーダ１である場合について説明したが、放送記録装置が、モニタと通信可能に接続されると共に、テレビジョン放送を受信し、受信した映像情報を記録媒体に格納する装置であればよい。例えば、放送記録装置が、ＤＶＤレコーダである形態でもよい。
【００６８】
（Ｂ）本実施形態では、ＨＤＤレコーダ１が２個のＣＰＵ（メインＣＰＵ１１、サブＣＰＵ１２）を備える場合について説明したが、ＨＤＤレコーダ１が１個のＣＰＵを備える形態でもよい。
【００６９】
（Ｃ）本実施形態では、メインＣＰＵ１１が、時間算出部１１１及び時間表示部１１２として機能する場合について説明したが、時間算出部１１１及び時間表示部１１２の少なくとも一方が、サブＣＰＵ１２の機能部として実現されている形態でもよい。
【００７０】
（Ｄ）本実施形態では、停電検出回路１４２が、エミッタが接地され停電中である場合にＯＦＦ状態となるトランジスタＴＲ２を備える場合について説明したが、停電検出回路１４２が、電源回路１３からの直流電圧が入力され、停電中であることを検出すると共に、停電中であるか否かを示す停電信号をサブＣＰＵ１２に対して出力する回路であればよい。
【図面の簡単な説明】
【００７１】
【図１】は、本発明に係るＨＤＤレコーダの構成の一例を示すブロック図である。
【図２】は、本発明に係るＨＤＤレコーダにおける主要部の構成の一例を示す機能構成図である。
【図３】は、コンデンサの高電圧側端子における電圧値の変化の一例を示すグラフである。
【図４】は、ＨＤＤレコーダ（主にメインＣＰＵ、サブＣＰＵ）の動作の一例を示すフローチャートである。
【符号の説明】
【００７２】
１    ＨＤＤレコーダ（放送記録装置）
１１    メインＣＰＵ
１１１    時間算出部（時間算出手段）
１１２    時間表示部（時間表示手段）
１２    サブＣＰＵ
１２１    電力モード設定部
１２２    電圧検出部（電圧検出手段）
１３    電源回路
１４    停電検出部
１４１    リセットＩＣ
１４２    停電検出回路
ＴＲ１、ＴＲ２    トランジスタ
１５    受信部
１８    ＲＡＭ
１８１    換算値記憶部（換算値記憶手段）
１９    ＨＤＤ（記録媒体）
２    出力装置
２１    ディスプレイ（モニタ）
【図１】
2008278132.tif 000003
【図２】
2008278132.tif 000004
【図３】
2008278132.tif 000005
【図４】
2008278132.tif 000006